(57)【要約】【課題】ユーザが快適かつ楽に呼吸することができる上、気密性が高い鼻マスクを提供する。【解決手段】鼻マスク１０は、鼻マスク本体１２、蓋体１４及び立体フィルタ芯１６を備えて鼻孔に設置される。鼻マスク本体１２は、弾性支持部１２１、搭載部１２２及びフィルタ芯収容孔１２３を含む。フィルタ芯収容孔１２３は、鼻マスク本体１２に形成される。弾性支持部１２１の後端部は、鼻孔の内縁に当接される。搭載部１２２は、鼻孔の外縁に当接される。蓋体１４は、搭載部１２２に設けられるとともに、フィルタ芯収容孔１２３と連通する通気孔１４１を少なくとも１つ有する。折曲げフィルタ１６１は、複数の折曲げ部を有するとともに、立体フィルタ芯の中央部に設置される。【選択図】図１
0003190012.tif 000002
【実用新案登録請求の範囲】
【請求項１】
鼻マスク本体、蓋体及び立体フィルタ芯を備えて鼻孔に設置される鼻マスクであって、
前記鼻マスク本体は、弾性支持部、搭載部及びフィルタ芯収容孔を含み、前記フィルタ芯収容孔は、前記鼻マスク本体に形成され、前記弾性支持部の後端部は、鼻孔の内縁に当接され、前記搭載部は、鼻孔の外縁に当接され、
前記蓋体は、前記搭載部に設けられるとともに、前記フィルタ芯収容孔と連通する通気孔を少なくとも１つ有し、
前記立体フィルタ芯は、前記鼻マスク本体中に着脱自在に設置されるとともに、折曲げフィルタ及び突出部を含み、前記折曲げフィルタは、複数の折曲げ部を有するとともに、前記立体フィルタ芯の中央部に設置されて前記立体フィルタ芯を封止し、前記突出部は、前記立体フィルタ芯に外方延設されて前記蓋体と前記搭載部との間に係合されることを特徴とする鼻マスク。
【請求項２】
前記搭載部は、少なくとも１つの係合槽を含み、
前記蓋体は、少なくとも１つの係合部を含み、
前記係合部は、前記係合槽に着脱自在に係合されることを特徴とする請求項１に記載の鼻マスク。
【請求項３】
前記搭載部は枢着部を含み、
前記蓋体には、前記枢着部が枢着され、
前記枢着部には、少なくとも１つのストッパが設置され、
前記ストッパは、前記鼻マスク本体に対する前記蓋体の回転を規制することを特徴とする請求項１に記載の鼻マスク。
【請求項４】
前記搭載部は枢着部を含み、
前記蓋体には、前記枢着部が枢着され、
前記枢着部には、少なくとも１つのストッパが設置され、
前記ストッパは、前記鼻マスク本体に対する前記蓋体の回転を規制することを特徴とする請求項２に記載の鼻マスク。
【請求項５】
前記搭載部は、凸状リングを含み、
前記凸状リングは、前記搭載部の内表面に配設され、前記立体フィルタ芯の前記突出部の上表面に強く当接されることを特徴とする請求項１乃至４の何れかに記載の鼻マスク。
【請求項６】
前記蓋体は、少なくとも１つのバンプを含み、
前記バンプは、前記蓋体の一表面に設けられて前記立体フィルタ芯の前記突出部の下表面に強く当接されることを特徴とする請求項１乃至４の何れかに記載の鼻マスク。
【請求項７】
前記蓋体は、少なくとも１つのバンプを含み、
前記バンプは、前記蓋体の一表面に設けられて前記立体フィルタ芯の前記突出部の下表面に強く当接されることを特徴とする請求項５に記載の鼻マスク。
【請求項８】
前記弾性支持部には、少なくとも１つの切欠きが形成されていることを特徴とする請求項１乃至４の何れかに記載の鼻マスク。
【請求項９】
前記弾性支持部には、少なくとも１つの切欠きが形成されていることを特徴とする請求項５に記載の鼻マスク。
【請求項１０】
前記弾性支持部には、少なくとも１つの切欠きが形成されていることを特徴とする請求項６に記載の鼻マスク。
【請求項１１】
前記立体フィルタ芯内の前記折曲げフィルタにより分離形成された空間中に設けられた芳香粒子をさらに含むことを特徴とする請求項１乃至４の何れかに記載の鼻マスク。
【請求項１２】
前記立体フィルタ芯内の前記折曲げフィルタにより分離形成された空間中に設けられた芳香粒子をさらに含むことを特徴とする請求項５に記載の鼻マスク。
【請求項１３】
前記立体フィルタ芯内の前記折曲げフィルタにより分離形成された空間中に設けられた芳香粒子をさらに含むことを特徴とする請求項６に記載の鼻マスク。
【考案の詳細な説明】
【技術分野】
【０００１】
本考案は、鼻マスクに関し、特に、装着したときの気密性が高く、立体フィルタ芯に空気をスムーズに通過させる鼻マスクに関する。
【背景技術】
【０００２】
生活環境の空気中には様々なウイルス、細菌及び汚染物質が含まれ、人類の健康に大きな脅威となることがあり、空気中に含まれたウイルス、細菌及び汚染物質の吸入を防ぐためにマスクを装着する人が多い。
【０００３】
防塵レベルが高いマスク（例えば、Ｎ９５マスク）を装着する場合、金属押さえ部材、高弾性ゴムなどによりマスクと、鼻梁、顔部との間の高い気密効果を得ていたが、この方式では顔部が強く圧迫されてユーザが不快に感じることがあった。一般のマスクは、Ｎ９５マスクよりも快適に使用することができるが、一般のマスクの場合、鼻梁及び顔部周囲の気密性が十分でなく、ウイルス、細菌、チリダニなどを含む不潔な空気が鼻梁及び顔部周囲の隙間から入り込み吸入してしまうことがあった。
【０００４】
その他、鼻挿入型マスクが開発されているが、鼻挿入型マスクを装着する際、鼻孔の奥深くにフィルターを挿入しなければならないため、鼻孔内の異物感が強い上、鼻孔と鼻挿入型マスクとの間の気密性を確保することが困難であり、装着したユーザが不快に感じる上、細菌、ウイルス、チリダニなどの有害物質を鼻挿入型マスクと鼻孔との間に生じた隙間からユーザが吸入してしまう虞があった。
【考案の概要】
【考案が解決しようとする課題】
【０００５】
本考案の目的は、従来技術の問題点を解決し、ユーザが快適かつ楽に呼吸することができる上、気密性が高い鼻マスクを提供することにある。
【課題を解決するための手段】
【０００６】
上記課題を解決するために、本考案の第１の形態によれば、鼻マスク本体、蓋体及び立体フィルタ芯を備えて鼻孔に設置される鼻マスクであって、前記鼻マスク本体は、弾性支持部、搭載部及びフィルタ芯収容孔を含み、前記フィルタ芯収容孔は、前記鼻マスク本体に形成され、前記弾性支持部の後端部は、鼻孔の内縁に当接され、前記搭載部は、鼻孔の外縁に当接され、前記蓋体は、前記搭載部に設けられるとともに、前記フィルタ芯収容孔と連通する通気孔を少なくとも１つ有し、前記立体フィルタ芯は、前記鼻マスク本体中に着脱自在に設置されるとともに、折曲げフィルタ及び突出部を含み、前記折曲げフィルタは、複数の折曲げ部を有するとともに、前記立体フィルタ芯の中央部に設置されて前記立体フィルタ芯を封止し、前記突出部は、前記立体フィルタ芯に外方延設されて前記蓋体と前記搭載部との間に係合されることを特徴とする鼻マスクが提供される。
【０００７】
前記搭載部は、少なくとも１つの係合槽を含み、前記蓋体は、少なくとも１つの係合部を含み、前記係合部は、前記係合槽に着脱自在に係合されることが好ましい。
【０００８】
前記搭載部は枢着部を含み、前記蓋体には、前記枢着部が枢着され、前記枢着部には、少なくとも１つのストッパが設置され、前記ストッパは、前記鼻マスク本体に対する前記蓋体の回転を規制することが好ましい。
【０００９】
前記搭載部は、凸状リングを含み、前記凸状リングは、前記搭載部の内表面に配設され、前記立体フィルタ芯の前記突出部の上表面に強く当接されることが好ましい。
【００１０】
前記蓋体は、少なくとも１つのバンプを含み、前記バンプは、前記蓋体の一表面に設けられて前記立体フィルタ芯の前記突出部の下表面に強く当接されることが好ましい。
【００１１】
前記弾性支持部には、少なくとも１つの切欠きが形成されていることが好ましい。
【００１２】
前記立体フィルタ芯内の前記折曲げフィルタにより分離形成された空間中に設けられた芳香粒子をさらに含むことが好ましい。
【考案の効果】
【００１３】
本考案の鼻マスクは、鼻マスク本体、立体フィルタ芯及び蓋体の設置により立体フィルタ芯の濾過面積が増大し、立体フィルタ芯の空気抵抗を大幅に減らすことができる上、ユーザの鼻孔と鼻マスクとの間の気密性が高いため、空気は立体フィルタ芯のみを通過して鼻孔内へ入り、濾過されていない汚い空気がユーザにより吸入されることを防ぐことができる。そのためユーザは楽に呼吸することができる上、鼻マスクを快適に装着することができる。
【図面の簡単な説明】
【００１４】
【図１】図１は、本考案の第１実施形態に係る鼻マスクを示す斜視図である。
【図２】図２は、本考案の第１実施形態に係る鼻マスクを示す分解斜視図である。
【図３】図３は、本考案の第１実施形態に係る鼻マスクを示す断面図である。
【図４】図４は、本考案の第１実施形態に係る鼻マスクを示す斜視図である。
【図５】図５は、本考案の第１実施形態に係る鼻マスクの使用状態の説明図である。
【図６】図６は、本考案の第２実施形態に係る鼻マスクを示す断面図である。
【考案を実施するための形態】
【００１５】
以下、本考案の実施形態について図に基づいて説明する。なお、これによって本考案が限定されるものではない。
【００１６】
（第１実施形態）
図１〜図３を参照する。図１は、本考案の第１実施形態に係る鼻マスクを示す斜視図である。図２は、本考案の第１実施形態に係る鼻マスクを示す分解斜視図である。図３は、本考案の第１実施形態に係る鼻マスクを示す断面図である。図１〜図３に示すように、本考案の第１実施形態に係る鼻マスク１０は、少なくとも鼻マスク本体１２、蓋体１４及び立体フィルタ芯１６から構成される。鼻マスク１０は、鼻孔（図示せず）に設置してユーザが吸入した空気を濾過するために用いる。
【００１７】
鼻マスク本体１２は、弾性支持部１２１、搭載部１２２及びフィルタ芯収容孔１２３を含む。フィルタ芯収容孔１２３は、鼻マスク本体１２に形成される。弾性支持部１２１の後端部１２１２は、鼻孔の内縁に当接される。搭載部１２２は、鼻孔の外縁に当接される。鼻マスク本体１２は、肌なじみが良い弾性変形可能な材料からなり、例えば、鼻マスク本体１２と鼻孔との間の気密性を維持することができるようにシリコーンからなる。弾性支持部１２１の断面形状は中央部が外方へ突出され、両端に向かってテーパー状となっており、ユーザが容易に鼻マスク１０を鼻孔へ装着し、鼻マスク１０が使用中に外れることを防ぐ。
【００１８】
蓋体１４は、搭載部１２２に設けられる。蓋体１４は、フィルタ芯収容孔１２３と連通する少なくとも１つの通気孔１４１を有し、空気は通気孔１４１を介して鼻マスク本体１２に吸入される。
【００１９】
立体フィルタ芯１６は、鼻マスク本体１２中に着脱自在に設置されている。立体フィルタ芯１６は、折曲げフィルタ１６１及び突出部１６２を含む。折曲げフィルタ１６１は、複数の折曲げ部を有するとともに、立体フィルタ芯１６の中央部に設置されて立体フィルタ芯１６を封止し、立体フィルタ芯１６内に進入した空気が折曲げフィルタ１６１により濾過される。突出部１６２は、立体フィルタ芯１６に外方延設され、搭載部１２２と蓋体１４との間に係合される。突出部１６２は、立体フィルタ芯１６の底端から外方へ延びた凸縁である。
【００２０】
さらに詳細には、折曲げフィルタ１６１は、濾過材料を折り曲げて立体型に形成されたものであり、濾過材料を繰り返して折り曲げて立体型の折曲げフィルタ１６１及び折曲げ部が形成され、支持リブ又は他の方式により折曲げフィルタ１６１内の隙間を開いて立体フィルタ芯１６内を分離して複数の空間１６３を形成してもよい。例えば、折曲げフィルタ１６１の断面形状は、Ｗ字状、Ｍ字状、逆Ｕ字状などでもよいし、折曲げフィルタ１６１上に他の方式で形成した波状の複数の折曲げ部にすることにより、立体フィルタ芯１６が空気に触れる面積を増やし、立体フィルタ芯１６が一般の平面濾過材料より大きな濾過面積を得て、空気が立体フィルタ芯１６を通過する際、空気が大き目の面積を通過するため、立体フィルタ芯１６で呼吸する抵抗が小さくなる。言い換えると、ユーザが呼吸する際、鼻マスク１０を空気がスムーズに出入りするため、正常な呼吸に悪影響を与えることがない。
【００２１】
立体フィルタ芯１６は、一層のメルトブローン不織布、多層のメルトブローン不織布又はその他の材料からなり、例えば、日常の防塵レベル、ＰＭ２．５レベル又はＮ９５レベルなど、異なる防塵（濾過）レベルを得てもよい。立体フィルタ芯１６は、メルトブロー成形装置により立体金型で成形を行うか、雌雄の金型で挟んで成形を行うか、プリーツ加工機によりプリーツ加工を行って超音波溶接などで成形を行ってもよい。
【００２２】
鼻マスク１０を一定期間使用した後、ユーザは、蓋体１４を開いて鼻マスク本体１２中から使用済みの立体フィルタ芯１６を取り出して廃棄したり洗浄したりしてから、清潔な立体フィルタ芯１６を鼻マスク本体１２内へ再び設置して蓋体１４で閉じ、立体フィルタ芯１６の交換を完了する。言い換えると、鼻マスク本体１２及び蓋体１４は繰り返して使用してもよいし、使用環境に対応した濾過レベルの立体フィルタ芯１６へ交換してもよい。
【００２３】
また、鼻マスク１０を装着する際、鼻マスク本体１２は、弾性支持部１２１の後端部１２１２を鼻孔の内縁へ当接させ、搭載部１２２を鼻孔の外縁へ当接させることにより、鼻マスク本体１２と鼻孔との間の気密性を良好に維持することができる上、蓋体１４を高強度の金属プレート又は他の材料により製作して搭載部１２２の形状を維持し、搭載部１２２を鼻孔の外縁へ当接させることにより、ユーザが鼻マスク１０自体を誤って吸入してしまうことを防ぐ。第１実施形態の蓋体１４は、複数の通気孔１４１を含む。これら複数の通気孔１４１は、間隔をおいて設置された複数のリブ１４２により形成され、異物が鼻マスク本体１２へ奥深く入ることを鼻マスク１０のリブ１４２により防ぐ。
【００２４】
立体フィルタ芯１６には、細菌、ウイルスなどの有害物質からユーザを守るために、ナノレベルの立体フィルタ芯１６を用いてもよい。
【００２５】
図２に示すように、第１実施形態の蓋体１４は、少なくとも１つの係合部１４３を含む。搭載部１２２は、少なくとも１つの係合槽１２２１を含み、ユーザが外力を係合槽１２２１へ加えると係合槽１２２１が弾性変形する。係合部１４３が係合槽１２２１へ着脱自在に係合されているとき、蓋体１４は鼻マスク本体１２上へ堅牢に固定される。第１実施形態の搭載部１２２は、６つの係合槽１２２１を含む。蓋体１４の係合部１４３は、６つの逆Ｌ字状突出プレートであり、これら６つの突出プレートが係合槽１２２１中へそれぞれ挿入されて搭載部１２２上に係合されると、搭載部１２２から不用意に蓋体１４が外れる虞がない。鼻マスク本体１２上から蓋体１４を開く際は、係合槽１２２１へ外力を加え、係合槽１２２１から係合部１４３を外すだけで蓋体１４を開くことができる。
【００２６】
図２及び図３を参照する。図２及び図３に示すように、第１実施形態の搭載部１２２は、凸状リング１２２２を含む。凸状リング１２２２は、搭載部１２２の内表面に配設され、立体フィルタ芯１６の突出部１６２の上表面へ強く当接されるため、立体フィルタ芯１６の突出部１６２が蓋体１４を介して凸状リング１２２２と密着するように挟持され、蓋体１４と突出部１６２との間に生じる隙間や、突出部１６２と搭載部１２２との間に生じる隙間から空気が直接、鼻マスク本体１２を通って立体フィルタ芯１６により濾過されなくなることを防いで高い気密効果を得る。
【００２７】
また、蓋体１４は、少なくとも１つのバンプ１４４を含んでもよい。第１実施形態の蓋体１４上には、１０個のバンプ１４４が含まれる。これら１０個のバンプ１４４は、蓋体１４の一表面に設けられる。バンプ１４４が立体フィルタ芯１６の突出部１６２の下表面へ強く当接されると、蓋体１４と立体フィルタ芯１６との間の摩擦力が高まり、立体フィルタ芯１６の突出部１６２により、バンプ１４４と搭載部１２２とが堅牢に挟持され、鼻マスク本体１２中で立体フィルタ芯１６が移動することを防ぐ。
【００２８】
図３及び図４を参照する。図３及び図４に示すように、第１実施形態の搭載部１２２は、枢着部１２２３を含む。蓋体１４には、枢着部１２２３が枢着される。枢着部１２２３には、少なくとも１つのストッパ１２２４が設置される。ストッパ１２２４は、鼻マスク本体１２に対して蓋体１４が所定角度回転した後に規制して蓋体１４の回転を止め、鼻マスク本体１２から蓋体１４が分離されて紛失することを防ぐことができるとともに、蓋体１４が回転するときに曲がり過ぎて損壊することを防ぐ。本実施形態の枢着部１２２３は枢着軸であり、ストッパ１２２４を枢着軸の一端上へ固定し、蓋体１４が枢着される枢着軸の箇所には、少なくとも１つの凸柱１４５が設けられ、蓋体１４が枢着軸を中心に所定角度で回転した後、ストッパ１２２４により凸柱１４５が規制され、所定角度は、実際の構造の必要に応じて変えることができる。
【００２９】
鼻マスク本体１２が立体フィルタ芯１６より長いため、鼻孔の内壁に立体フィルタ芯１６が接触されることはない。弾性支持部１２１の側壁上には、少なくとも１つの切欠き１２１１が形成されている。切欠き１２１１の形成は、弾性支持部１２１の強度を減らしてしまうが、鼻孔内に装着する快適性を高め、空気が通る経路に悪影響を与えることがない。
【００３０】
図５に示すように、鼻マスク１０を実際に装着する際、まず、２つの鼻孔へ２つの鼻マスク１０をそれぞれ詰め、鼻マスク１０上の最も広い部分を鼻孔の最も広い部分に対して平行にし、各弾性支持部１２１の後端部１２１２を各鼻孔の内縁に当接させ、各搭載部１２２を各鼻孔の外縁へ当接させて気密性を確保する。このとき空気が各蓋体１４の通気孔１４１を介して通過し、各立体フィルタ芯１６により濾過されて鼻マスク本体１２中に進入する。空気が立体フィルタ芯１６に接触される面積が大きいため空気抵抗が小さく、これにより空気が各立体フィルタ芯１６をスムーズに通過して濾過され、各搭載部１２２が鼻孔の外側に位置するため、各鼻マスク本体１２が鼻孔の奥深くへ挿入されることがなく、ユーザは鼻マスク本体１２を快適に装着し、楽に呼吸を行うことができる。
【００３１】
また、各鼻マスク１０は、少なくとも１つの芳香粒子（図示せず）をさらに含んでもよい。この芳香粒子は、各立体フィルタ芯１６内の折曲げフィルタ１６１により分離形成された空間１６３中に位置し、防水層（図示せず）により各立体フィルタ芯１６の端部を覆い、芳香粒子が各立体フィルタ芯１６中に漏れないように封止されるため、鼻マスク１０を装着したユーザは、呼吸する際に良い香りを嗅ぐことができる。
【００３２】
（第２実施形態）
図６を参照する。図６は、本考案の第２実施形態に係る鼻マスクを示す断面図である。図６に示すように、第２実施形態の鼻マスク１０’は、鼻マスク本体１２’、蓋体１４’及び立体フィルタ芯１６を含む。第２実施形態は、鼻マスク本体１２’の搭載部１２２に形成された係合槽１２２１が環状凹槽であり、蓋体１４’の係合部１４３が蓋体１４’の周縁に形成され、環状凹槽が蓋体１４’の周縁と、立体フィルタ芯１６の突出部１６２とに係止されている点で第１実施形態と異なる。
【００３３】
さらに詳細には、搭載部１２２は、ユーザが僅かな力を加えるだけで開くことができ、立体フィルタ芯１６を鼻マスク本体１２’内に設置し、立体フィルタ芯１６の突出部１６２を環状凹槽中に係止させてから蓋体１４’を搭載部１２２へ設置し、搭載部１２２をリリースすると原状回復され、蓋体１４’の周縁が環状凹槽中に係合される。即ち、立体フィルタ芯１６の突出部１６２と蓋体１４’の周縁とが環状凹槽により堅牢に係合されて挟持され、蓋体１４’及び立体フィルタ芯１６が鼻マスク本体１２’中へ堅牢に固定される。また、鼻マスク本体１２’は、弾性変形可能な材料からなるため、搭載部１２２が突出部１６２の上表面と、蓋体１４’の下表面とに密着するように当接され、気密性を確保することができる。
【００３４】
鼻マスク１０’を一定期間使用した後、ユーザは、鼻マスク本体１２’から蓋体１４’を開き、使用済みの立体フィルタ芯１６を取り出して廃棄するか、洗浄した後に清潔になった立体フィルタ芯１６を鼻マスク本体１２’内へ再び設置して蓋体１４で蓋をし、立体フィルタ芯１６の交換作業を完了する。
【００３５】
上述したことから分かるように、本考案の鼻マスクは、鼻マスク本体、立体フィルタ芯及び蓋体の設置により立体フィルタ芯の濾過面積が増大し、立体フィルタ芯の空気抵抗を大幅に減らすことができる上、ユーザの鼻孔と鼻マスクとの間の気密性が高いため、空気は立体フィルタ芯のみを通過して鼻孔内へ入り、濾過されていない汚い空気がユーザにより吸入されることを防ぐことができる。そのためユーザは楽に呼吸することができる上、鼻マスクを快適に装着することができる。
【００３６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３７】
１０  鼻マスク
１０’  鼻マスク
１２  鼻マスク本体
１２’  鼻マスク本体
１４  蓋体
１４’  蓋体
１６  立体フィルタ芯
１２１  弾性支持部
１２２  搭載部
１２３  フィルタ芯収容孔
１４１  通気孔
１４２  リブ
１４３  係合部
１４４  バンプ
１４５  凸柱
１６１  折曲げフィルタ
１６２  突出部
１６３  空間
１２１１  切欠き
１２１２  後端部
１２２１  係合槽
１２２２  凸状リング
１２２３  枢着部
１２２４  ストッパ
【図１】
0003190012.tif 000003
【図２】
0003190012.tif 000004
【図３】
0003190012.tif 000005
【図４】
0003190012.tif 000006
【図５】
0003190012.tif 000007
【図６】
0003190012.tif 000008